(57)【要約】【課題】指針の一部が覆い隠されて短くなっても視認性を確保することができる車両用表示装置を提供する。【解決手段】画像表示装置１０と、この画像表示装置１０に車両情報を画像として表示させる制御手段２０とを備え、制御手段２０が所定の入力情報に基づいて、指針３１と指標部３２とでなる指針式表示画像ＧＲ１，２を表示させる第１の表示モードと、指針３１の一部を覆い隠すように情報表示画像をＧＲ３を指針式表示画像ＧＲ１の手前に表示させる第２の表示モードとを切り替えてなる車両用表示装置において、第２の表示モードにおける指針３１の幅Ｗ２を第１の表示モードにおける指針３１の幅Ｗ１よりも太く設定してなる。【選択図】  図３
2010072383.tif 000002
【特許請求の範囲】
【請求項１】
画像表示装置と、この画像表示装置に車両情報を画像として表示させる制御手段とを備え、前記画像が回転する指針とこの指針の指示対象となる指標部とで前記車両情報である計測値を表示する指針式表示画像と、前記車両情報として所定情報を表示する情報表示画像とを含み、前記制御手段が所定の入力情報に基づいて前記指針式表示画像を表示させる第１の表示モードと、前記指針の一部を覆い隠すように前記情報表示画像を前記指針式表示画像の手前に表示させる第２の表示モードとを切り替えてなる車両用表示装置において、
前記第２の表示モードにおける前記指針の幅を前記第１の表示モードにおける前記指針の幅よりも太く設定してなることを特徴とする車両用表示装置。
【請求項２】
前記第２の表示モードにおいて、前記指針と前記指標部とが重なった場合、少なくとも前記指針の前記指標部との重なり部分を含む所定箇所を非表示とするか、あるいは前記指針を通して前記指標部を透視可能に構成したことを特徴とする請求項１記載の車両用表示装置。
【発明の詳細な説明】
【技術分野】
【０００１】
本発明は、車両情報を表示する車両用表示装置に関するものである。
【背景技術】
【０００２】
この種の車両用表示装置として例えば下記特許文献１に記載されているものが知られている。この車両用表示装置は、例えば、液晶パネル、ＥＬパネル、その他のフラットディスプレイパネルからなる画像表示装置と、この画像表示装置に車両情報を画像として表示させるマイクロコンピュータを含む制御手段とを備えており、画像表示装置は、制御手段による制御のもと、回転する指針とこの指針の指示対象となる指標部とでタコメータからなる指針式表示画像を表示する第１の表示モードと、指針の一部を覆い隠すように所定情報としてバックモニタ画像からなる情報表示画像を指針式表示画像の手前に表示させる第２の表示モードとを切り替えてなる。
【特許文献１】特開２００６−３４３４５２号公報
【発明の開示】
【発明が解決しようとする課題】
【０００３】
しかしながら上記公報に記載の車両用表示装置にあっては、指針が長く延びる第１の表示モードと、情報表示画像に一部が覆い隠されて指針が短くなる第２の表示モードとで、指針の太さが変わらずに一定であるため、第２の表示モードにおいて、指針の視認性が低下しやすいという問題があった。
【０００４】
本発明は前述した問題点に着目し、指針の一部が覆い隠されて短くなっても視認性を確保することができる車両用表示装置を提供するものである。
【課題を解決するための手段】
【０００５】
本発明は、前述した課題を解決するため、画像表示装置と、この画像表示装置に車両情報を画像として表示させる制御手段とを備え、前記画像が回転する指針とこの指針の指示対象となる指標部とで前記車両情報である計測値を表示する指針式表示画像と、前記車両情報として所定情報を表示する情報表示画像とを含み、前記制御手段が所定の入力情報に基づいて前記指針式表示画像を表示させる第１の表示モードと、前記指針の一部を覆い隠すように前記情報表示画像を前記指針式表示画像の手前に表示させる第２の表示モードとを切り替えてなる車両用表示装置において、前記第２の表示モードにおける前記指針の幅を前記第１の表示モードにおける前記指針の幅よりも太く設定してなることを特徴とする。これによれば、指針の一部が覆い隠されて短くなっても、指針の幅が太くなるため、視認性を確保することができる。
【０００６】
また本発明は、前記第２の表示モードにおいて、前記指針と前記指標部とが重なった場合、少なくとも前記指針の前記指標部との重なり部分を含む所定箇所を非表示とするか、あるいは前記指針を通して前記指標部を透視可能に構成したことを特徴とする。これによれば、幅が太くなった指針が指標部と重なったとしても、指針を通して指標部を視認できるため、更に良好な視認性を確保することができる。
【発明の効果】
【０００７】
本発明によれば、初期の目的を達成することができ、指針の一部が覆い隠されて短くなっても視認性を確保すること可能な車両用表示装置を提供することができる。
【発明を実施するための最良の形態】
【０００８】
以下、本発明の実施の形態について添付図面を用いて説明する。
【０００９】
図１から図４は、本発明による車両用表示装置の第１の実施形態を示すもので、図１は本実施形態による車両用表示装置のシステム概要を示すブロック図、図２及び図３は表示画像を示す正面図、図４は図３の一部を拡大して示す要部正面図である。
【００１０】
図１において、本実施形態による車両用表示装置１は、画像表示装置１０と、この画像表示装置１０に車両情報を画像として表示させる制御手段２０とを備えており、例えば車内ＬＡＮ（Ｌｏｃａｌ Ａｒｅａ Ｎｅｔｗｏｒｋ）を介して車側ＥＣＵ（Ｅｎｇｉｎｅ Ｃｏｎｔｒｏｌ Ｕｎｉｔ）と接続されている。
【００１１】
画像表示装置１０は、例えばＴＦＴ（薄膜トランジスタ）型液晶パネルからなるが、制御手段２０による制御のもと、車両情報を画像として表示させることができれば、ＥＬパネル等の任意の表示パネルを用いることができる。
【００１２】
制御手段２０は、例えばマイクロコンピュータやグラフィックコントローラ、ＲＯＭ、ＲＡＭ、フラッシュメモリ等の記憶装置をはじめ、車内ＬＡＮを通じて入力する車側ＥＣＵからの所定の入力情報（この場合、車両情報として様々な車両状況を検出する車両状態検出手段からの情報やユーザ操作による切り替え信号）に応じて画像表示装置１０を駆動制御し、後述する画像を表示させるのに必要な素子を含んでいる。
【００１３】
画像表示装置１０の表示画面には、前記画像として、例えば通常の走行時（後述する警報情報を表示しないとき）は、図２に示すように、第１の表示モードとして、右側に車両速度（車両情報）をアナログ表示する第１の指針式表示画像ＧＲ１が、左側に車両エンジン回転（車両情報）をアナログ表示する第２の指針式表示画像ＧＲ２がそれぞれ間隔を空けて隣接表示される。
【００１４】
各指針式表示画像ＧＲ１，２は、制御手段２０が車内ＬＡＮを通じて入力する所定の入力情報（車速情報及びエンジン回転情報）に基づいて、前記記憶装置に格納されている複数パターンからなる画像データを読み出し再生することにより動画として表示されるものであり、指針式表示画像ＧＲ１は回転する指針３１とこの指針３１の指示対象となる指標部３２とで車両速度からなる計測値を表示し、指針式表示画像ＧＲ１も同様に回転する指針３１とこの指針３１の指示対象となる指標部３２とでエンジン回転数からなる計測値を表示するものである。
【００１５】
また制御手段２０は前記入力情報（例えば車体の異常等に関する情報）に基づいて利用者に注意を促すべきと判断したとき、図３に示すように、第２の表示モードとして注意喚起マーク（所定情報）からなる情報表示画像ＧＲ３を表示させる。この第２の表示モードは、第１の表示モード時に表示した第１，第２の指針式表示画像ＧＲ１，２に加えて情報表示画像ＧＲ３を表示するように、第１の表示モードから切り替えて表示されるものである。
【００１６】
情報表示画像ＧＲ３は、円形の背景部と注意喚起マークとからなり、第１の指針式表示画像ＧＲ１の指針３１の一部、この場合、回転中心側を覆い隠すように第１の指針式表示画像ＧＲ１の手前に表示される。このため、第２の表示モード時における第１の指針式表示画像ＧＲ１の指針３１の長さＬ２は、第１の表示モード時における第１の指針式表示画像ＧＲ１の指針３１の長さＬ１よりも短くなる。
【００１７】
一方、第２の表示モード時における第１の指針式表示画像ＧＲ１の指針３１の幅（長手方向における最大幅）Ｗ２は、第１の表示モード時における第１の指針式表示画像ＧＲ１の指針３１の幅（長手方向における最大幅）Ｗ１よりも太くなるように設定されている。
【００１８】
加えて、第１の表示モード時における第１の指針式表示画像ＧＲ１の指針３１は、単なる線として指針を描画していたが、第２の表示モード時における第１の指針式表示画像ＧＲ１の指針３１は、図４に示すように、指針３１の外形を縁取る外形線３１ａと、外形線３１ａに囲まれた領域３１ｂとで指針を描画しており、領域３１ｂは情報表示画像ＧＲ３側から先端に向かうに従って色が徐々に薄く変化するグラデーションを有している。
【００１９】
更に第２の表示モードにおいて、第１の指針式表示部ＧＲ１の指針３１と指標部３２とが重なった場合、指針３１の指標部３２との重なり部分とその周辺部を含む所定箇所を非表示とし、指標部３２が視認できるように工夫されている。この非表示処理は指針３１と指標部３２とが重なった場合だけ行われる。
【００２０】
以上のように本実施形態では、画像表示装置１０と、この画像表示装置１０に車両情報を画像として表示させる制御手段２０とを備え、画像が回転する指針３１とこの指針３１の指示対象となる指標部３２とで車両情報である計測値を表示する指針式表示画像ＧＲ１，２と、車両情報として所定情報を表示する情報表示画像ＧＲ３とを含み、制御手段２０が所定の入力情報に基づいて指針式表示画像ＧＲ１，２を表示させる第１の表示モードと、指針３１の一部を覆い隠すように情報表示画像をＧＲ３を指針式表示画像ＧＲ１の手前に表示させる第２の表示モードとを切り替えてなる車両用表示装置において、第２の表示モードにおける指針３１の幅Ｗ２を第１の表示モードにおける指針３１の幅Ｗ１よりも太く設定してなることにより、指針３１の一部が覆い隠されて短くなっても、指針３１の幅Ｗ２が太くなるため、視認性を確保することができる。
【００２１】
また本実施形態では、第２の表示モードにおいて、指針３１と指標部３２とが重なった場合、少なくとも指針３１の指標部３２との重なり部分を含む所定箇所を非表示とすることにより、幅が太くなった指針３１が指標部３２と重なったとしても、指針３１を通して指標部３２を視認できるため、更に良好な視認性を確保することができる。
【００２２】
なお情報表示画像ＧＲ３は、本実施形態のごとき注意喚起マークに限らず、指針３１の一部を覆う画像であれば任意の画像を適用できる。
【００２３】
図５は、本発明の第２の実施形態として、第２の表示モードにおいて、指針３１と指標部３２とが重なった場合の別例を示すもので、本実施形態では、指針３１を通して指標部３２を透視可能に構成したものである。これによっても前記第１の実施形態と同様の効果を期待できる。
【図面の簡単な説明】
【００２４】
【図１】本発明の第１の実施形態による車両用表示装置のシステム概要を示すブロック図。
【図２】同実施形態における表示画像を示す正面図。
【図３】同実施形態における表示画像を示す正面図。
【図４】図３の一部を拡大して示す要部正面図。
【図５】本発明の第２の実施形態を示す要部正面図。
【符号の説明】
【００２５】
１  車両用表示装置
１０  画像表示装置
２０  制御手段
３１  指針
３１ａ  外径線
３１ｂ  領域
３２  指標部
ＧＲ１  第１の指針式表示画像
ＧＲ２  第２の指針式表示画像
ＧＲ３  情報表示画像
Ｗ，１Ｗ２  幅
Ｌ１，Ｌ２  長さ
【図１】
2010072383.tif 000003
【図２】
2010072383.tif 000004
【図３】
2010072383.tif 000005
【図４】
2010072383.tif 000006
【図５】
2010072383.tif 000007